(57)【特許請求の範囲】
【請求項１】
未定着像が載った用紙を加熱ローラと加圧ローラとで挟持することにより定着を行う連続紙印刷装置の定着装置において、
定着ユニットに組み入れられた前記加熱ローラと、
前記定着ユニットに対して第一の軸心を中心軸として回動可能に装着されたプレートと、
前記プレートに着脱可能に保持された前記加圧ローラと、
前記加圧ローラを前記加熱ローラに対して第一の軸心を中心軸として回動せしめるための付勢機構と、
位置決め部材を中心軸として回動可能となるように、固定手段を用いて前記プレートに着脱可能に固定されたホルダと、
前記ホルダに固定されたカール矯正シャフトとを備えたことを特徴とする連続紙印刷装置の定着装置。
【請求項２】
前記固定手段の締結を解除することにより、前記ホルダが自重によって前記位置決め部材を中心に回転し、前記カール矯正シャフトが前記加圧ローラより離間する方向に移動することを特徴とする請求項１記載の連続紙印刷装置の定着装置。
【発明の詳細な説明】
【技術分野】
【０００１】
本発明は、特にレーザープリンターや複写機等の定着部における用紙カール矯正装置に関するものである。
【背景技術】
【０００２】
図４に従来の熱定着方式連続紙印刷装置における定着部付近の概略図を示す。
定着部１の加熱ローラ２は、駆動部（図示せず）により任意の方向に回転しており、加圧ローラ３は印刷時に押付け機構（図示せず）により軸心部分４を加熱ローラ２側に押付けられることにより、用紙５を加熱ローラ２側に押付け、加熱ローラ２の回転により用紙５を回転プラー６、及び、従動ローラ７の間に送り込み、スタッカー部８へ排出する。
【０００３】
定着部１に入ってくる用紙５はカール矯正シャフト９により、加熱ローラ２と加圧ローラ３の接線方向に送り出される。カール矯正シャフト９はプレート１０に固定され、プレート１０の一部は加圧ローラ３の中心を挟み込む形状となっている。このため、加圧ローラ３が加熱ローラ２側に押付けられる方向に動くと、回転シャフト１１を中心にプレート１０も加圧ローラ３と一緒に移動するため、プレート１０に固定されているカール矯正シャフト９が加圧ローラ３と連動して動く構成となっている。
【０００４】
従来は、カール矯正シャフト９が加圧ローラ３と連動して動くことにより、印刷停止時に加圧ローラ３が加熱ローラ２への押付けを解除した際、カール矯正シャフト９も加熱ローラ２から離れる方向に移動するため、長時間定着部に用紙を掛けておく場合でも用紙の焦げ付きや黄変を防止できた。
【０００５】
【特許文献１】特開２００４−２０５８７９号公報
【発明の開示】
【発明が解決しようとする課題】
【０００６】
しかしながら、カール矯正シャフト９が定着部ユニット内に取付けられているため、ユニットごとにカール矯正シャフト９が必要となり、使用用途によってはカール矯正シャフト９が不要な場合には定着ユニットを分ける必要があった。また、加圧ローラ３を交換できる構成を想定した場合には、カール矯正シャフト９を取り付けているプレート１０の取り外しが困難であった。
【課題を解決するための手段】
【０００７】
本発明は、未定着像が載った用紙を加熱ローラと加圧ローラとで挟持することにより定着を行う連続紙印刷装置の定着装置において、定着ユニットに組み入れられた前記加熱ローラと、前記定着ユニットに対して第一の軸心を中心軸として回動可能に装着されたプレートと、前記プレートに着脱可能に保持された前記加圧ローラと、前記加圧ローラを前記加熱ローラに対して第一の軸心を中心軸として回動せしめるための付勢機構と、位置決め部材を中心軸として回動可能となるように、固定手段を用いて前記プレートに着脱可能に固定されたホルダと、前記ホルダに固定されたカール矯正シャフトとを備えたことを特徴とする。
【０００８】
また、  前記固定手段の締結を解除することにより、前記ホルダが自重によって前記位置決め部材を中心に回転し、前記カール矯正シャフトが前記加圧ローラより離間する方向に移動することを特徴とする。
【発明の効果】
【０００９】
本発明によれば、加圧ローラを加熱ローラに押付けるために連続紙印刷装置内に取付けられた押付け機構に、カール矯正シャフトを取付けることにより、定着ユニット内にカール矯正シャフトを取付ける必要がなくなり、定着ユニットを共通化できる効果がある。
【００１０】
また、カール矯正シャフトを取り付けた連続紙印刷装置において、カール矯正シャフトを取り付けるホルダの固定ネジを緩めることにより、ホルダが加圧ローラから離れる構成にすることで、加圧ローラを単品で交換する構成とした場合、カール矯正シャフトを取り外すことなく加圧ローラを交換できる効果がある。
【００１１】
さらに、カール矯正シャフトとそれを固定するホルダの取付けが容易であり、使用用途によって、取付け・取外しが簡単に行なえる効果がある。
【発明を実施するための最良の形態】
【００１２】
図１に本発明の一実施例である定着部周辺の構成を示す。未定着像がのった用紙２０は加熱ローラ２１と加圧ローラ２２に挟持され、トナーが定着される。加熱ローラ２１は定着ユニット３６の構成品であり、定着ユニット３６で交換可能な構造となっている。加熱ローラ２１と加圧ローラ２２よって搬送された用紙２０は、カール矯正シャフト２３により加熱ローラ２１と加圧ローラ２２のほぼ接線方向に送りだされ、定着プラー２４と従動ローラ２５の間を通りスタッカーユニット２６に排出される。
【００１３】
カール矯正シャフト２３はホルダ２７に固定されており、支持部材（図示せず）により用紙２０の送行方向に回転可能となっている。ホルダ２７は位置決め部材である位置決めピン２８により位置が決まり、ネジ２９によりプレート３０に固定されている。一方、加圧ローラ２２の軸心３１は支持部材３２で位置決めされ、ネジ３３、３４によりプレート３０に固定されている。ネジ３３、３４を外し、支持部材３２を外すことにより、加圧ローラ２２は交換できる構造となっている。
【００１４】
ここで、軸心３１が押付け機構（図示せず）により矢印Ａ方向に押付けられると、プレート３０は軸心３５を中心軸として加圧ローラ２２を加熱ローラ２１に押付ける。同時に、プレート３０に固定されたホルダ２７およびカール矯正シャフト２３が加熱ローラ２１の方向に移動する。加圧ローラ２２が加熱ローラ２１に突き当たった時、用紙２０を加熱ローラ２１と加圧ローラ２２のほぼ接線方向へ送り出す位置にカール矯正シャフト２３が来るような構造となっている。
【００１５】
図２に非印刷時の状態を示す。非印刷時には、戻し機構（図示せず）によりプレート３０は矢印Ｂ方向に力が加えられ、軸心３５を中心軸にして加熱ローラ２１から離れる方向に移動する。すると、プレート３０に間接的に固定された加圧ローラ２２およびカール矯正シャフト２３が加熱ローラ２１から離れ、用紙２０の焦げ付きや黄変を防止する。
【００１６】
図３に定着部における各部の動きを示す。前述したように、加熱ローラ２１は定着ユニット３６に組み込まれ、定着ユニット３６が交換できる構成になっている。定着ユニット３６は軸心３７を中心軸に矢印Ｃ方向に移動し、加圧ローラ２２から離れる構造となっている。
【００１７】
一方、プレート３０に固定された支持部材３２はネジ３３、３４を外すことによりプレート３０から取り外せる構造となっており、加圧ローラ２２は矢印Ｅ方向に抜き取ることができる。このとき、図２に示す位置にカール矯正シャフト２３がある場合、加圧ローラ２２を取り外すことができない。そこで、カール矯正シャフト２３を固定しているホルダ２７の固定ネジ２９を緩めることにより、ホルダ２７は位置決めピン２８を回転中心軸として自重により矢印Ｄ方向に移動し、ホルダ２７およびカール矯正シャフト２３を外すことなく加圧ローラ２２を取り外すことが可能となる。
【００１８】
さらに、使用用途によってはカール矯正シャフト２３を不要とする場合も想定され、この場合はホルダ２７およびカール矯正シャフト２３を取り外すことも可能であり、必要に応じて取付け、取り外しが容易となる。
【図面の簡単な説明】
【００１９】
【図１】本発明の一実施例である定着部周辺の印刷時の状態を示した概略図である。
【図２】本発明の一実施例である定着部周辺の非印刷時の状態を示した概略図である。
【図３】本発明の一実施例である定着部周辺における各部の動きを示した概略図である。
【図４】従来の定着部周辺の構成を示した概略図である。
【符号の説明】
【００２０】
２０は用紙、２１は加熱ローラ、２２は加圧ローラ、２３はカール矯正シャフト、２４は定着プラー、２５は従動ローラ、２６はスタッカーユニット、２７はホルダ、２８は位置決めピン、２９，３３，３４はネジ、３０はプレート、３１，３５，３７は軸心、３２は支持部材、３６は定着ユニットである。
【図１】
0004365770.tif 000002
【図２】
0004365770.tif 000003
【図３】
0004365770.tif 000004
【図４】
0004365770.tif 000005